(57)【要約】【課題】吐水口から偏りの無い幅広の薄膜状にして混合水を吐出することができる吐水装置を提供する。【解決手段】吐水装置１０は、給水用配管１５及び給湯用配管１６からそれぞれ流入した水及び湯を混合する湯水混合部（湯水混合ユニット）を幅方向の左側に備え、湯水混合部（湯水混合ユニット）から流動する混合水の流動状態を調整する調整部（シリンダ弁ユニット）を右側に備え、シリンダ弁ユニットの流出口から流動する混合水を、湯水混合ユニットとシリンダ弁ユニットとに跨って形成された幅広の吐水口から薄膜状にして吐水させる。本体部１０ａ内においては、シリンダ弁ユニットから吐水口へ至る吐水流路３３に、流出口の幅方向領域の一部を閉塞する流出障害部を設け、その近傍の下流領域に、吐水口の幅方向に水流を広げる流出拡散部（網状体３２）を設けている。【選択図】図８
2008231885.tif 000002
【特許請求の範囲】
【請求項１】
給水用配管及び給湯用配管からそれぞれ流入した水及び湯を混合する湯水混合部を幅方向の片方側に備え、前記湯水混合部から流動する混合水の流動状態を調整する調整部を他方側に備え、前記調整部の流出口から流動する混合水を、前記湯水混合部と前記調整部とに跨って形成された幅広の吐水口から薄膜状にして吐水させる吐水装置において、
前記調整部の流出口から前記吐水口へ至る吐水流路に、前記流出口の幅方向領域の少なくとも一部を閉塞する流出障害部を設け、
前記流出障害部近傍の下流領域に、前記吐水口の幅方向に水流を広げる流出拡散部を設けたことを特徴とする吐水装置。
【請求項２】
前記流出拡散部として、前記流出障害部の幅方向全体を含む前記吐水口の幅方向全体に亘って配置された網状体を設けたことを特徴とする請求項１記載の吐水装置。
【請求項３】
前記吐水流路に連通する前記吐水口の断面形状を、両端部が拡幅したスリット状としたことを特徴とする請求項１または２記載の吐水装置。
【請求項４】
前記吐水口は、幅が略一定の直線部と、前記直線部の両端部分に拡幅して当該直線部から連続状に形成された拡大部と、を有することを特徴とする請求項１または２記載の吐水装置。
【請求項５】
前記吐水口から吐水される湯又は水の通過領域における前記吐水口の近傍に整流手段を設けたことを特徴とする請求項１〜４のいずれかに記載の吐水装置。
【請求項６】
前記網状体は、混合水の流動方向に沿って間隔をおいて配置された複数の領域を有することを特徴とする請求項２記載の吐水装置。
【発明の詳細な説明】
【技術分野】
【０００１】
本発明は、湯または水を吐水口から幅広の薄膜状にして吐出することができる吐水装置に関する。
【背景技術】
【０００２】
吐水口から湯または水を薄膜状にして吐水させる機能を備えた吐水装置として、例えば、特許文献１〜３に記載されたものがある。特許文献１には、堰部を乗り越えて吐水させることにより、幅方向に均等な吐水を得ることが開示されている。また、特許文献２には吐水口を吐水口開口縁に向けて広がるテーパ形状とすることにより、先細りを防止することが記載されている。さらに、特許文献３には、吐水口に網部材を設けて整流することが記載されている。
【０００３】
【特許文献１】実公昭６２−３５７１８号公報
【特許文献２】実公平７−５４３６２号公報
【特許文献３】特開２００１−２０３３２号公報
【発明の開示】
【発明が解決しようとする課題】
【０００４】
従来技術は、混合水が吐水口の幅方向の中心位置から供給され、それを均一に広げて吐水させるものであるため、吐水口に対して幅方向の偏った位置から混合水が供給される吐水装置においては、これら従来技術では幅方向に偏った吐水した実現できなかった。
【０００５】
本発明が解決しようとする課題は、吐水口から偏りの無い幅広の薄膜状にして混合水を吐出することができる吐水装置を提供することにある。
【課題を解決するための手段】
【０００６】
本発明の吐水装置は、給水用配管及び給湯用配管からそれぞれ流入した水及び湯を混合する湯水混合部を幅方向の片方側に備え、前記湯水混合部から流動する混合水の流動状態を調整する調整部を他方側に備え、前記調整部の流出口から流動する混合水を、前記湯水混合部と前記調整部とに跨って形成された幅広の吐水口から薄膜状にして吐水させる吐水装置において、
前記調整部の流出口から前記吐水口へ至る吐水流路に、前記流出口の幅方向領域の少なくとも一部を閉塞する流出障害部を設け、
前記流出障害部近傍の下流領域に、前記吐水口の幅方向に水流を広げる流出拡散部を設けたことを特徴とする。
【０００７】
このような構成とすれば、調整部の流出口から吐水流路に向かう混合水が当該流出口の中央領域から流れ出すように前記流出障害部によって誘導することができ、この流出障害部近傍の下流領域に設けられた流出拡散部によって前記吐水口の幅方向に水流を広げることができる。このため、レイアウト上の制約により、吐水口の幅方向中心線よりも偏った位置から混合水が流入する構造を有する吐水装置においても、吐水口の幅方向の吐水偏りを抑制して吐水させることができる。即ち、吐水口から偏りの無い幅広の薄膜状にして混合水を吐出することができる。なお、前記調整部は、混合水の吐止切替機能のほか、流量調整機能、吐水先切替機能のうちの少なくとも一つの機能を有するものとする。
【０００８】
ここで、前記流出拡散部として、前記流出障害部の幅方向全体を含む前記吐水口の幅方向全体に亘って配置された網状体を設ければ、流出障害部の幅方向長さを含めて均一な吐水とすることができる。
【０００９】
一方、前記吐水流路に連通する前記吐水口の断面形状を、両端部が拡幅したスリット状とすれば、吐水口の中央部分に吐水が集まるのを防止することができる。
【００１０】
また、前記吐水口は、幅が略一定の直線部と、前記直線部の両端部分に拡幅して当該直線部から連続状に形成された拡大部と、を有するものとすれば、吐水口の中央部分に吐水が集まるのを防止することができる。
【００１１】
さらに、前記吐水口から吐水される湯又は水の通過領域における前記吐水口の近傍に整流手段を設ければ、幅方向の吐水偏りを抑えて吐水させることができる。
【００１２】
また、前記網状体が、混合水の流動方向に沿って間隔をおいて配置された複数の領域を有するものであれば、整流作用が高まり、吐水の偏りを無くす効果が高まる。
【発明の効果】
【００１３】
本発明により、吐水口から偏りの無い幅広の薄膜状にして混合水を吐出することができる吐水装置を提供することができる。
【発明を実施するための最良の形態】
【００１４】
以下、図面に基づいて、本発明の実施の形態について説明する。図１は本発明の実施の形態である吐水装置を斜め上方から見た斜視図、図２は図１に示す吐水装置を斜め下方から見た斜視図、図３は図１に示す吐水装置の正面図、図４は図１に示す吐水装置の一部切欠平面図、図５は図４におけるＡ−Ａ線断面図、図６は図４におけるＢ−Ｂ線断面図、図７は図４におけるＣ−Ｃ線断面図である。
【００１５】
図１〜図４に示すように、本実施形態の吐水装置１０は、湯と水とを混合して適切な温度に調節し、吐水口１１あるいはシャワーホース１２を経由してシャワーヘッド（図示せず）から吐出する機能を有している。吐水装置１０は、湯温調節用ハンドル１３と吐水切替用ハンドル１４とを有し、給水用配管１５から供給される水と、給湯用配管１６から供給される湯とを、湯温調節用ハンドル１３の設定に従って混合し、吐水切替用ハンドル１４の操作に従って、吐水口１１またはシャワーホース１２を経由してシャワーヘッド（図示せず）から吐出する。
【００１６】
吐水装置１０は、給水用配管１５及び給湯用配管１６からそれぞれ流入した水及び湯を混合する湯水混合部（湯水混合ユニット１７）を幅方向の左側に備え、湯水混合部（湯水混合ユニット１７）から流動する混合水の流動状態を調整する調整部（シリンダ弁ユニット１８）を右側に備え、調整部（シリンダ弁ユニット１８）の流出口（通水路２７）から流動する混合水を、湯水混合部（湯水混合ユニット１７）と調整部（シリンダ弁ユニット１８）とに跨って形成された幅広の吐水口１１から薄膜状にして吐水させる。
【００１７】
図５〜図７に示すように、吐水装置１０は、本体部１０ａとその上面を覆う略四角形板状の蓋体１０ｂとを有し、本体部１０ａの背面側に突設された給水用配管１５および給湯用配管１６が、壁面Ｗ内に配管された給水管および給湯管（図示せず）にそれぞれ接続されている。本体部１０ａ内には、湯水混合ユニット１７、シリンダ弁ユニット１８、整流網１９、逆止弁２０が配置されている。
【００１８】
図５，図７に示すように、給水用配管１５からストレーナ付きの止水栓２１を通じて流入した水は、逆止弁２０を通って本体部１０ａの通水路２２へ流入する。給湯用配管１６からストレーナ付きの止水栓２１を通じて流入した湯は、逆止弁２０を通って本体部１０ａ内の通水路２３へ流入する。通水路２２へ流入した水と通水路２３へ流入した湯とは、本体部１０ａ内の湯水混合ユニット１７において設定温度になるように混合された後、通水路２４へ流入する。通水路２４に流入した混合水はシリンダ弁ユニット１８へ流入し、吐水切替用ハンドル１４によるシリンダ弁ユニット１８の切替状態に従って、通水路２５または通水路２６へ流入する。通水路２６へ流入した混合水は、通水路２７を通って吐水口１１から吐出され、通水路２５へ流入した混合水は通水路２８，２９からシャワーホース１２を通ってシャワーヘッド（図示せず）から吐出される。
【００１９】
吐水口１１は本体部１０ａの前方底面に開口し、混合水を下方に向かって幅広の薄膜状にして吐出する。後述する図１２に示すように、吐水口１１は、一定幅の直線部１１ａと、その両端の拡大部１１ｂと、を備えている。吐水口１１の上方には、吐水口１１の外周を取り囲むように溝部３０が形成され、整流手段である整流網１９が溝部３０内に着脱可能に配置されている。混合水は、溝部３０から突出している整流網１９の上部を通過して当該整流網１９内へ流入し、その下部を通過して吐水口１１へ流下する。
【００２０】
図５に示すように、湯水混合ユニット１７は、湯水混合ユニット本体１７ａと、この湯水混合ユニット本体１７ａ内に摺動可能に配置された主弁体１７ｂと、主弁体１７ｂを付勢するコイルバネ１７ｃと、主弁体１７ｂをコイルバネ１７ｃと反対側へ付勢する形状記憶合金バネ１７ｄと、を備えている。また、湯水混合ユニット本体１７ａ内には、湯温調節用ハンドル１３と連動して回動する回動部材１７ｅと、回動部材１７ｅとネジ機構を介して連結された摺動部材１７ｆとが配置され、摺動部材１７ｆはコイルバネ１７ｃの端部に当接した状態で回転不能に保持されている。湯温調節用ハンドル１３は固定ネジ１３ａによって回動部材１７ｅに固定されている。
【００２１】
従って、湯温調節用ハンドル１３を回動させると回動部材１７ｅのみが回動し、この回動部材１７ｅとネジ機構を介して連結された摺動部材１７ｆが図５における左右方向に摺動する。即ち、回動部材１７ｅと摺動部材１７ｆとを連結するネジ機構により、湯温調節用ハンドル１３から伝えられた回動部材１７ｅの回動運動が摺動部材１７ｆの往復運動に変換される。
【００２２】
主弁体１７ｂは略円筒形状であり、湯水混合ユニット本体１７ａ内に摺動可能に配置されている。主弁体１７ｂが湯水混合ユニット本体１７ａ内で摺動されることにより水及び湯の流入量が変化し、湯水混合ユニット１７内での水と湯との混合比率が変化する。図５に示すように、主弁体１７ｂの左側にコイルバネ１７ｃが配置され、このコイルバネ１７ｃによって主弁体１７ｂが右側へ付勢されている。また、主弁体１７の右側に形状記憶合金バネ１７ｄが配置され、この形状記憶合金バネ１７ｄによって主弁体１７ｂは左側へ付勢されている。
【００２３】
前述したように、湯温調節用ハンドル１３を回動させると回動部材１７ｅが回動し、摺動部材１７ｆが湯水混合ユニット１７内において摺動する。摺動部材１７ｆの端部はコイルバネ１７ｃの端部に当接しているため、湯温調節用ハンドル１３の回動によって摺動部材１７ｆが摺動すると、主弁体１７ｂに対するコイルバネ１７ｃの付勢力が変化し、湯水混合ユニット１７の設定温度を変更することができる。
【００２４】
シリンダ弁ユニット１８は、略円筒形状のシリンダ弁ユニット本体１８ａと、このシリンダ弁ユニット本体１８ａ内に回動可能に配置されたシリンダ１８ｂと、を有する。シリンダ弁ユニット本体１８ａには、通水路２５，２６と整合可能な位置にそれぞれ通水口１８ｃ，１８ｄが形成されている。シリンダ１８ｂは薄い金属製の円筒体であり、シリンダ弁ユニット本体１８ａ内に回動可能に配置されている。シリンダ１８ｂの側面には、通水口１８ｃと整合する位置と、通水口１８ｄと整合する位置とに、それぞれ通水口１８ｅ，１８ｆが形成されている。
【００２５】
シリンダ１８ｂがシリンダ弁ユニット本体１８ａ内で回動し、通水口１８ｅと通水口１８ｃとが整合すると、通水路２４からシリンダ弁ユニット１８に流入した混合水は、通水口１８ｅ、通水口１８ｃを通って通水路２５へ流出し、シャワーホース１２を経由してシャワーヘッド（図示せず）から吐出される。一方、通水口１８ｆと通水口１８ｄとが整合すると、混合水は、通水口１８ｆ，１８ｄを通って通水路２６へ流出し、吐水口１１から吐出される。通水口１８ｅ，１８ｆが通水口１８ｃ，１８ｄの両方と整合しない位置にあるときは、止水状態に保持される。
【００２６】
吐水切替用ハンドル１４は、シリンダ１８ｂに連結され、吐水切替ハンドル１４を回動させることにより水路が切り替わり、シャワーヘッド（図示せず）あるいは吐水口１１における吐水、止水の切替を行うことができる。
【００２７】
次に、図８〜図１２に基づいて、吐水装置１０の整流機能等について説明する。図８は図１に示す吐水装置の分解斜視図、図９は図８に示す本体部の平面図、図１０は図９におけるＤ−Ｄ線断面図、図１１は図９におけるＥ−Ｅ線断面図、図１２は図１に示す吐水装置の一部省略底面図である。
【００２８】
図８に示すように、吐水装置１０において、本体部１０ａの上面を覆う蓋体１０ｂは、本体部１０ａの底面側から螺着される複数のネジ１０ｃによって固定されている。本体部１０ａ内には、調整部であるシリンダ弁ユニット１８（図５参照）から吐水口１１（図１２参照）へ至る吐水流路３３に、流出口（通水路２７）の幅方向領域の一部を閉塞する流出障害部３１を設け、流出障害部３１近傍の下流領域に、吐水口１１の幅方向に水流を広げる流出拡散部である網状体３２を設けている。網状体３２は、流出障害部３１の幅方向全体を含む吐出口１１の幅方向全体に亘って配置されている。網状体３２の下流には、吐水流路３３を狭めるように一対の堤状部３４が対向配置され、その下流に位置する溝部に整流網１９が配置されている。そして、吐水流路３３および溝部３０を覆う通水部蓋３５がパッキン３６を介在させた状態で複数のネジ３５ａによって取り付けられている。
【００２９】
給水用配管１５、給湯用配管１６からそれぞれ吐水装置１０へ供給された水、湯は、本体部１０ａの通水路２２，２３へ流入する。通水路２２，２３へ流入した水、湯は、湯水混合ユニット本体１７ａ内へ流入する。湯水混合ユニット本体１７ａ内へ流入した水と湯とは混合され、形状記憶合金バネ１７ｄの内側を通って通水路２４へ流出する。
【００３０】
このとき、形状記憶合金バネ１７ｄ内を通過する混合水の温度により、当該形状記憶合金バネ１７ｄが発生する付勢力が変化する。通過する混合水の温度が設定温度より高いときは、形状記憶合金バネ１７ｄの付勢力が増大して主弁体１７ｂを図５中の左方向へ移動させる。これにより、湯の流入口の開度が減少し、水の流入口の開度が増大するので、混合水の温度が低下する。また、形状記憶合金バネ１７ｄ内を通過する混合水の温度が設定温度より低いときは、形状記憶合金バネ１７ｄの付勢力が低下し、主弁体１７ｂが右方向へ移動する。これにより、湯の流入口の開度が増大し、水の流入口の開度が減少するので、混合水の温度が上昇する。このように、形状記憶合金バネ１７ｄおよび主弁体１７ｂの作用により、通水路２４に流出する混合水の温度が、湯温調節用ハンドル１３で設定された温度に維持される。
【００３１】
通水路２４に流出した混合水は、シリンダ弁ユニット１８に到達し、シリンダ１８ｂに流入する。シリンダ１８ｂに形成された通水口１８ｅとシリンダ弁ユニット本体１８ａに形成された通水口１８ｃとが整合する状態にシリンダ１８ｂがあるときは、シリンダ１８ｂ内の混合水は通水口１８ｃを通って通水路２５へ流出する。通水路２５へ流出した湯水は通水路２９及びシャワーホース１２を通ってシャワーヘッド（図示せず）から吐出される。また、通水口１８ｅ，１８ｆが、通水口１８ｃ，１８ｄとそれぞれ整合しない状態にシリンダ１８ｂがあるときは、止水状態に保たれる。
【００３２】
一方、通水口１８ｆと通水口１８ｄとが整合する位置にシリンダがあるときは、混合水は通水路２６へ流出する。通水路２６へ流出した混合水は、通水路２７を上昇し、網状体３２を通過した後、水平方向へ延びる吐水流路３３へ流入する。本体部１０ａと通水部蓋３５との間に位置する吐水流路３３は薄く形成されているため、通水路２７から流入した混合水は、堤状部３４の間を通過して水平に薄く拡散しながら溝部３０へ到達する。溝部３０に到達した混合水は、整流網１９上部を通過して、整流網１９の内部へ流入し、内部を通過して整流網１９の下部を通過し、溝部３０の下方に開設されている吐水口１１から吐出される。このように、吐水口１１から吐水される湯又は水の通過領域である溝部３０にＵ字状に折り曲げた形状の整流網１９を設けているため、幅方向の吐水偏りを抑えて吐水させることができる。
【００３３】
吐水装置１０においては、流出障害部３１近傍の下流領域に、吐水口１１の幅方向に水流を広げる流出拡散部として網状体３２を設けているため、シリンダ弁ユニット１８の流出口である通水路２７から吐水流路３３に向かう混合水は当該通水路２７の中央領域２７ａから流れ出すように流出障害部３１によって誘導された後、網状体３２によって吐水口１１の幅方向に水流が広げられる。このため、レイアウト上の制約により、吐水口１１の幅方向中心線よりも偏った位置から混合水が流入する構造を有する吐水装置１０においても、吐水口１１の幅方向の吐水偏りを抑制して吐水させることができる。即ち、吐水口１１から偏りの無い幅広の薄膜状にして混合水を吐出することができる。網状体３２は、流出障害部３１の幅方向全体を含む吐水口１１の幅方向全体に亘って配置されているため、流出障害部３１の幅方向長さを含めて均一な吐水とすることができる。
【００３４】
また、図１２に示すように、吐水流路３３に連通する吐水口１１は、幅が略一定の直線部１１ａと、直線部１１ａの両端部に当該直線部１１ａから連続状に拡幅して形成された拡大部１１ｂと、を有するため、吐水口１１の中央部分に吐水が集まるのを防止することができる。また、吐水口１１の両端に拡大部１１ｂがあることにより、薄膜状の吐水の側縁部における水勢が強くなるため、吐水量が少ない場合の吐水膜の狭まりを抑制することができる。
【００３５】
図８に示したように、吐水流路３３に配置された網状体３２は、Ｌ字状に折り曲げた二つの網材３２ａを組み合わせることによって略四角筒状に形成されているため、混合水の流動方向に沿って二つの網材３２ａが間隔をおいて配置された状態となっている。従って、網状体３２を通過する混合水は、網材３２ａを少なくとも２度通過するため、その流れは整流され、均一化される。このため、通水路２７が吐水口１１に対して偏った位置に開口されていても、吐水口１１からの吐水状態は、均一な薄膜状となる。
【産業上の利用可能性】
【００３６】
本発明の吐水装置は、浴室の給湯水設備の構成部材として広く利用することができる。
【図面の簡単な説明】
【００３７】
【図１】本発明の実施の形態である吐水装置を斜め上方から見た斜視図である。
【図２】図１に示す吐水装置を斜め下方から見た斜視図である。
【図３】図１に示す吐水装置の正面図である。
【図４】図１に示す吐水装置の一部切欠平面図である。
【図５】図４におけるＡ−Ａ線断面図である。
【図６】図４におけるＢ−Ｂ線断面図である。
【図７】図４におけるＣ−Ｃ線断面図である。
【図８】図１に示す吐水装置の分解斜視図である。
【図９】図８に示す本体部の平面図である。
【図１０】図９におけるＤ−Ｄ線断面図である。
【図１１】図９におけるＥ−Ｅ線断面図である。
【図１２】図１に示す吐水装置の一部省略底面図である。
【符号の説明】
【００３８】
１０  吐水装置
１０ａ  本体部
１０ｂ  蓋体
１０ｃ，３５ａ  ネジ
１１  吐水口
１１ａ  直線部
１１ｂ  拡大部
１２  シャワーホース
１３  湯温調節用ハンドル
１３ａ  固定ネジ
１４  吐水切替用ハンドル
１５  給水用配管
１６  給湯用配管
１７  湯水混合ユニット
１７ａ  湯水混合ユニット本体
１７ｂ  主弁体
１７ｃ  コイルバネ
１７ｄ  形状記憶合金バネ
１７ｅ  回動部材
１７ｆ  摺動部材
１８  シリンダ弁ユニット
１８ａ  シリンダ弁ユニット本体
１８ｂ  シリンダ
１８ｃ，１８ｄ，１８ｅ，１８ｆ  通水口
１９  整流網
２０  逆止弁
２１  止水栓
２２，２３，２４，２５，２６，２７，２８，２９  通水路
２７ａ  中央領域
３０  溝部
３１  流出障害部
３２  網状体
３２ａ  網材
３３  吐水流路
３４  堤状体
３５  通水部蓋
３６  パッキン
Ｗ  壁面
【図１】
2008231885.tif 000003
【図２】
2008231885.tif 000004
【図３】
2008231885.tif 000005
【図４】
2008231885.tif 000006
【図５】
2008231885.tif 000007
【図６】
2008231885.tif 000008
【図７】
2008231885.tif 000009
【図８】
2008231885.tif 000010
【図９】
2008231885.tif 000011
【図１０】
2008231885.tif 000012
【図１１】
2008231885.tif 000013
【図１２】
2008231885.tif 000014